【手続補正書】
【提出日】令和3年3月15日(2021.3.15)
【手続補正１】
【補正対象書類名】特許請求の範囲
【補正対象項目名】全文
【補正方法】変更
【補正の内容】
【特許請求の範囲】
【請求項１】
回転可能な像担持体と、前記像担持体に接触して前記像担持体の表面を帯電する帯電部材と、前記像担持体にトナーを供給してトナー像を形成する現像剤担持体と、を有し、前記像担持体上にトナー像を形成するように構成された複数の画像形成部と、
前記像担持体上に前記トナー像が転写される中間転写体と、
前記中間転写体に転写された前記トナー像を記録材に転写する転写部材と、
前記帯電部材に帯電電圧を印加する帯電電圧印加部と、
前記帯電電圧印加部を制御する制御部と、
を備え、
前記画像形成部は、記録材に前記トナー像を形成する画像形成動作において、前記中間転写体に転写されずに前記像担持体上に残ったトナーを前記現像剤担持体で回収するように構成され、
前記画像形成動作において、前記複数の画像形成部のうち一部の前記画像形成部において前記トナー像を形成しない場合に、前記制御部は、前記トナー像を形成しない前記画像形成部の前記帯電部材に、前記トナー像を形成するための帯電電圧である第１の帯電電圧よりも絶対値が小さく、かつ、前記第１の帯電電圧と同極性である第２の帯電電圧を印加するように前記帯電電圧を制御することを特徴とする画像形成装置。
【請求項２】
前記制御部は、前記第２の帯電電圧を放電開始電圧よりも絶対値が小さい電圧となるように前記帯電電圧印加部を制御することを特徴とする請求項１に記載の画像形成装置。
【請求項３】
前記制御部は、前記第２の帯電電圧の絶対値を、前記トナー像を形成しない前記画像形成部において形成される前記像担持体の表面電位の絶対値よりも大きくなるように前記帯電電圧印加部を制御することを特徴とする請求項１または２に記載の画像形成装置。
【請求項４】
前記第２の帯電電圧の極性は、前記トナーの正規極性と同極性であることを特徴とする請求項１〜３のいずれか１項に記載の画像形成装置。
【請求項５】
前記制御部は、前記複数の画像形成部のうち、前記中間転写体の回転方向において前記転写部材によって前記トナー像を記録材に転写する位置を基点として最上流に配置される画像形成部ではない、かつ、前記トナー像を形成しない前記画像形成部の前記帯電部材に
前記第２の帯電電圧を印加するように前記帯電電圧印加部を制御することを特徴とする請求項１〜４のいずれか１項に記載の画像形成装置。
【請求項６】
前記制御部は、前記複数の画像形成部においてそれぞれの前記像担持体上に形成した色の異なるトナー像を重ね合せるように前記中間転写体に転写させることで、１つのトナー像としての多色のトナー像を記録材に転写させる多色画像形成モードと、前記複数の画像形成部のうちの１つの画像形成部において前記像担持体上に形成したトナー像を前記中間転写体に転写させることで、前記１つのトナー像としての単色のトナー像を記録材に転写させる単色画像形成モードと、を実行可能に制御し、
前記多色画像形成モードの後に続けて行われる前記単色画像形成モードにおいて、前記制御部は、前記トナー像を形成しない前記画像形成部における前記帯電部材に前記第２の帯電電圧を印加するように前記帯電電圧印加部を制御することを特徴とする請求項１〜５のいずれか１項に記載の画像形成装置。
【請求項７】
前記帯電部材に付着したトナーを前記像担持体へ移動させる清掃処理を行うことが可能であり、
前記清掃処理の後に続けて行われる前記単色画像形成モードにおいて、前記制御部は、前記トナー像を形成しない前記画像形成部における前記帯電部材に前記第２の帯電電圧を印加しないように前記帯電電圧印加部を制御することを特徴とする請求項６に記載の画像形成装置。
【請求項８】
前記清掃処理が行われた後、前記多色画像形成モードが行われることなく、前記単色画像形成モードが繰り返される間において、前記制御部は、前記トナー像を形成しない前記画像形成部における前記帯電部材に前記第２の帯電電圧を印加しないように前記帯電電圧印加部を制御することを特徴とする請求項７に記載の画像形成装置。
【請求項９】
前記単色画像形成モードにおいて前記第２の帯電電圧の印加を行わない場合、前記制御部は、前記トナー像を形成しない前記画像形成部における前記帯電部材に前記帯電電圧を印加しないように前記帯電電圧印加部を制御することを特徴とする請求項７または８に記載の画像形成装置。
【請求項１０】
前記単色画像形成モードにおいて前記トナー像を形成する画像形成部は、前記複数の画像形成部のうち、前記中間転写体の回転方向において前記転写部材によって前記トナー像を記録材に転写する位置を基点として最下流に配置される画像形成部であることを特徴とする請求項６〜９のいずれか１項に記載の画像形成装置。
【請求項１１】
前記中間転写体の表面を清掃する清掃部材をさらに備え、
前記清掃処理において、前記像担持体に移動させた前記トナーは前記中間転写体に移動され、前記清掃部材によって清掃されることを特徴とする請求項７〜９のいずれか１項に記載の画像形成装置。
【請求項１２】
前記帯電部材によって帯電された前記像担持体の表面を露光する露光ユニットをさらに備え、
前記制御部は、前記トナー像を形成しない前記画像形成部において、前記露光ユニットが前記像担持体の表面を露光するように制御することを特徴とする請求項１〜１１のいずれか１項に記載の画像形成装置。
【請求項１３】
前記複数の画像形成部の前記像担持体と前記中間転写体とが接触する転写部において、前記中間転写体から前記像担持体に電流が流れるように前記中間転写体に転写電圧を印加する転写電圧印加部をさらに備え、
前記トナー像を形成しない前記画像形成部において、前記制御部は、前記トナー像を前記像担持体から前記中間転写体へ転写させるための第１の転写電圧と同極性で、かつ、前記第１の転写電圧よりも絶対値が大きい第２の転写電圧を印加するように前記転写電圧印加部を制御することを特徴とする請求項１〜４のいずれか１項に記載の画像形成装置。
【請求項１４】
前記複数の画像形成部は、前記像担持体の回転方向において前記像担持体上に形成された前記トナー像が前記中間転写体に転写される位置よりも下流、かつ、前記帯電部材が前記像担持体と接触する位置よりも上流における前記像担持体の表面を露光する第２の露光ユニットをさらに備え、
前記トナー像を形成しない前記画像形成部において、前記制御部は、前記第２の露光ユニットによって前記像担持体の表面を露光するように制御することを特徴とする請求項１〜１３のいずれか１項に記載の画像形成装置。
【請求項１５】
前記像担持体に対する前記現像剤担持体の位置を、前記像担持体に現像が可能な現像位置と、前記像担持体に現像を行わない離間位置と、に移動可能に構成する現像離間ユニットをさらに備え、
前記現像離間ユニットは、前記トナー像を形成しない前記画像形成部における前記現像剤担持体を前記離間位置に位置させることを特徴とする請求項１〜１４のいずれか１項に記載の画像形成装置。
【請求項１６】
前記トナーは、一成分トナーであることを特徴とする請求項１〜１５のいずれか１項に記載の画像形成装置。
【請求項１７】
回転可能な像担持体と、前記像担持体に接触して前記像担持体の表面を帯電する帯電部材と、前記像担持体にトナーを供給してトナー像を形成する現像剤担持体と、を有し、前記像担持体上にトナー像を形成するように構成された複数の画像形成部と、
記録材を担持搬送し、前記像担持体上に形成されたトナー像を記録材に転写する被転写体と、
前記帯電部材に帯電電圧を印加する帯電電圧印加部と、
前記帯電電圧印加部を制御する制御部と、を備え、
前記画像形成部は、記録材に前記トナー像を形成する画像形成動作において記録材に転写されずに前記像担持体上に残ったトナーを前記現像剤担持体で回収するように構成され、
前記画像形成動作において、前記複数の画像形成部のうち一部の前記画像形成部において前記トナー像を形成しない場合に、前記制御部は、前記トナー像を形成しない前記画像形成部の前記帯電部材に、前記トナー像を形成するための帯電電圧である第１の帯電電圧よりも絶対値が小さく、かつ、前記第１の帯電電圧と同極性である第２の帯電電圧を印加するように前記帯電電圧印加部を制御することを特徴とする画像形成装置。
【手続補正２】
【補正対象書類名】明細書
【補正対象項目名】００１３
【補正方法】変更
【補正の内容】
【００１３】
上記目的を達成するため、本発明の画像形成装置は、
回転可能な像担持体と、前記像担持体に接触して前記像担持体の表面を帯電する帯電部材と、前記像担持体にトナーを供給してトナー像を形成する現像剤担持体と、を有し、前記像担持体上にトナー像を形成するように構成された複数の画像形成部と、
前記像担持体上に前記トナー像が転写される中間転写体と、
前記中間転写体に転写された前記トナー像を記録材に転写する転写部材と、
前記帯電部材に帯電電圧を印加する帯電電圧印加部と、
前記帯電電圧印加部を制御する制御部と、を備え、
前記画像形成部は、記録材に前記トナー像を形成する画像形成動作において、前記中間転写体に転写されずに前記像担持体上に残ったトナーを前記現像剤担持体で回収するように構成され、
前記画像形成動作において、前記複数の画像形成部のうち一部の前記画像形成部において前記トナー像を形成しない場合に、前記制御部は、前記トナー像を形成しない前記画像形成部の前記帯電部材に、前記トナー像を形成するための帯電電圧である第１の帯電電圧よりも絶対値が小さく、かつ、前記第１の帯電電圧と同極性である第２の帯電電圧を印加するように前記帯電電圧を制御することを特徴とする。